(57)【要約】      （修正有）【課題】販売対象の薬品と販売対象の飲食品とを一緒に飲食する場合の食べ合わせに関する情報をレシートに印刷するための薬の食べ合わせ情報印刷指示装置を提供する。【解決手段】薬の食べ合わせ情報印刷指示装置３１は、複数の薬品のそれぞれについての食べ合わせが悪い飲食品を特定する飲食品情報を取得する飲食品情報取得部３１２と、販売対象の薬品を特定する情報を含む薬品用の商品コードに関する情報と販売対象の飲食品を特定する情報を含む飲食品用の商品コードに関する情報とを取得する商品コード情報取得部３１１と、商品コード情報取得部３１１によって取得された情報と飲食品情報とをもとに、販売対象の薬品と販売対象の飲食品との食べ合わせを判定する判定部３１４と、食べ合わせが悪いと判定された場合、レシートに食べ合わせが悪いことを示す薬の食べ合わせ情報を印刷させる指示を印刷装置に対して発行する印刷指示部３１５とを有する。【選択図】図２
2014182682.tif 000002
【特許請求の範囲】
【請求項１】
複数の薬品のそれぞれについての食べ合わせが悪い又は良い飲食品を特定する飲食品情報を取得する飲食品情報取得部と、
販売対象の薬品を特定する情報を含む薬品用の商品コードに関する情報と、販売対象の飲食品を特定する情報を含む飲食品用の商品コードに関する情報とを取得する商品コード情報取得部と、
前記商品コード情報取得部によって取得された情報と前記飲食品情報取得部によって取得された前記飲食品情報とをもとに、前記販売対象の薬品と前記販売対象の飲食品との食べ合わせを判定する判定部と、
前記販売対象の薬品と前記販売対象の飲食品との食べ合わせが悪いと前記判定部によって判定された場合に前記販売対象の薬品及び前記販売対象の飲食品の価格の情報が印刷されるレシートに前記販売対象の薬品と前記販売対象の飲食品との食べ合わせが悪いことを示す薬の食べ合わせ情報を印刷させる指示を印刷装置に対して発行し、前記販売対象の薬品と前記販売対象の飲食品との食べ合わせが良いと前記判定部によって判定された場合に前記レシートに前記販売対象の薬品と前記販売対象の飲食品との食べ合わせが良いことを示す薬の食べ合わせ情報を印刷させる指示を前記印刷装置に対して発行する印刷指示部と、
を備える薬の食べ合わせ情報印刷指示装置。
【請求項２】
一緒に服用することに対して用心すべき薬品の組み合わせを特定する薬品情報を取得する薬品情報取得部を更に備え、
前記商品コード情報取得部は、販売対象の第１の薬品を特定する情報を含む第１の薬品用の商品コードに関する情報と、販売対象の第２の薬品を特定する情報を含む第２の薬品用の商品コードに関する情報とを取得し、
前記判定部は、前記商品コード情報取得部によって取得された情報と前記薬品情報取得部によって取得された前記薬品情報とをもとに、前記販売対象の第１の薬品と前記販売対象の第２の薬品とを一緒に服用することに対して用心すべきか否かについても判定し、
前記印刷指示部は、前記販売対象の第１の薬品と前記販売対象の第２の薬品とを一緒に服用することに対して用心すべきと前記判定部によって判定された場合、前記販売対象の第１の薬品と前記販売対象の第２の薬品とを一緒に服用することに対して用心すべきことを示す服用用心情報を前記レシートに印刷させる指示を前記印刷装置に対して発行する
請求項１に記載の薬の食べ合わせ情報印刷指示装置。
【請求項３】
前記飲食品情報は、複数の薬品のそれぞれについて、薬品と食べ合わせが悪い飲食品とを食べ合わせることに対する用心の程度を示す程度情報を含み、
前記印刷指示部は、前記販売対象の薬品と前記販売対象の飲食品との食べ合わせが悪いと前記判定部によって判定された場合、前記販売対象の薬品と前記販売対象の飲食品とを食べ合わせることに対する用心の程度を示す前記程度情報を前記レシートに印刷させる指示を前記印刷装置に対して発行する
請求項１又は２に記載の薬の食べ合わせ情報印刷指示装置。
【請求項４】
一緒に服用することに対して用心すべき薬品の組み合わせを特定する薬品情報を取得する薬品情報取得部と、
販売対象の第１の薬品を特定する情報を含む第１の薬品用の商品コードに関する情報と、販売対象の第２の薬品を特定する情報を含む第２の薬品用の商品コードに関する情報とを取得する商品コード情報取得部と、
前記商品コード情報取得部によって取得された情報と前記薬品情報取得部によって取得された前記薬品情報とをもとに、前記販売対象の第１の薬品と前記販売対象の第２の薬品とを一緒に服用することに対して用心すべきか否かを判定する判定部と、
前記販売対象の第１の薬品と前記販売対象の第２の薬品とを一緒に服用することに対して用心すべきと前記判定部によって判定された場合、前記販売対象の第１の薬品及び前記販売対象の第２の薬品の価格の情報が印刷されるレシートに、前記販売対象の第１の薬品と前記販売対象の第２の薬品とを一緒に服用することに対して用心すべきことを示す服用用心情報を印刷させる指示を印刷装置に対して発行する印刷指示部と
を備える薬の食べ合わせ情報印刷指示装置。
【請求項５】
販売対象の薬品と販売対象の飲食品との食べ合わせを判定し、前記販売対象の薬品と前記販売対象の飲食品との食べ合わせが悪い又は良いことを示す判定結果を得た場合、前記販売対象の薬品及び前記販売対象の飲食品の価格の情報が印刷されるレシートに前記販売対象の薬品と前記販売対象の飲食品との食べ合わせが悪い又は良いことを示す薬の食べ合わせ情報を印刷させる指示を発行する薬の食べ合わせ情報印刷指示装置と、
前記薬の食べ合わせ情報印刷指示装置が発行した前記指示をもとに、前記レシートに前記薬の食べ合わせ情報を印刷する印刷装置とを備え、
前記薬の食べ合わせ情報印刷指示装置は、
複数の薬品のそれぞれについての食べ合わせが悪い又は良い飲食品を特定する飲食品情報を取得する飲食品情報取得部と、
前記販売対象の薬品を特定する情報を含む薬品用の商品コードに関する情報と、前記販売対象の飲食品を特定する情報を含む飲食品用の商品コードに関する情報とを取得する商品コード情報取得部と、
前記商品コード情報取得部によって取得された情報と前記飲食品情報取得部によって取得された前記飲食品情報とをもとに、前記販売対象の薬品と前記販売対象の飲食品との食べ合わせを判定する判定部と、
前記販売対象の薬品と前記販売対象の飲食品との食べ合わせが悪いと前記判定部によって判定された場合に前記レシートに前記販売対象の薬品と前記販売対象の飲食品との食べ合わせが悪いことを示す前記薬の食べ合わせ情報を印刷させる指示を前記印刷装置に出力し、前記販売対象の薬品と前記販売対象の飲食品との食べ合わせが良いと前記判定部によって判定された場合に前記レシートに前記販売対象の薬品と前記販売対象の飲食品との食べ合わせが良いことを示す前記薬の食べ合わせ情報を印刷させる指示を前記印刷装置に出力する印刷指示部とを有し、
前記印刷装置は、
前記薬の食べ合わせ情報印刷指示装置における前記印刷指示部から出力された前記指示を受け取る受取部と、
前記受取部によって受け取られた前記指示にしたがって、前記レシートに前記薬の食べ合わせ情報を印刷する印刷実行部とを有する
薬の食べ合わせ情報印刷システム。
【請求項６】
複数の薬品のそれぞれについての食べ合わせが悪い又は良い飲食品を特定する飲食品情報を取得する飲食品情報取得ステップと、
販売対象の薬品を特定する情報を含む薬品用の商品コードに関する情報と、販売対象の飲食品を特定する情報を含む飲食品用の商品コードに関する情報とを取得する商品コード情報取得ステップと、
前記商品コード情報取得ステップにおいて取得した情報と前記飲食品情報取得ステップにおいて取得した前記飲食品情報とをもとに、前記販売対象の薬品と前記販売対象の飲食品との食べ合わせを判定する判定ステップと、
前記販売対象の薬品と前記販売対象の飲食品との食べ合わせが悪いと前記判定ステップにおいて判定した場合に前記販売対象の薬品及び前記販売対象の飲食品の価格の情報が印刷されるレシートに前記販売対象の薬品と前記販売対象の飲食品との食べ合わせが悪いことを示す薬の食べ合わせ情報を印刷させる指示を印刷装置に対して発行し、前記販売対象の薬品と前記販売対象の飲食品との食べ合わせが良いと前記判定ステップにおいて判定した場合に前記レシートに前記販売対象の薬品と前記販売対象の飲食品との食べ合わせが良いことを示す薬の食べ合わせ情報を印刷させる指示を前記印刷装置に対して発行する印刷指示ステップと、
を含む薬の食べ合わせ情報印刷指示方法。
【請求項７】
複数の薬品のそれぞれについての食べ合わせが悪い又は良い飲食品を特定する飲食品情報を取得する飲食品情報取得ステップと、
販売対象の薬品を特定する情報を含む薬品用の商品コードに関する情報と、販売対象の飲食品を特定する情報を含む飲食品用の商品コードに関する情報とを取得する商品コード情報取得ステップと、
前記商品コード情報取得ステップにおいて取得した情報と前記飲食品情報取得ステップにおいて取得した前記飲食品情報とをもとに、前記販売対象の薬品と前記販売対象の飲食品との食べ合わせを判定する判定ステップと、
前記販売対象の薬品と前記販売対象の飲食品との食べ合わせが悪いと前記判定ステップにおいて判定した場合に前記販売対象の薬品及び前記販売対象の飲食品の価格の情報が印刷されるレシートに前記販売対象の薬品と前記販売対象の飲食品との食べ合わせが悪いことを示す薬の食べ合わせ情報を印刷させる指示を印刷装置に対して発行し、前記販売対象の薬品と前記販売対象の飲食品との食べ合わせが良いと前記判定ステップにおいて判定した場合に前記レシートに前記販売対象の薬品と前記販売対象の飲食品との食べ合わせが良いことを示す薬の食べ合わせ情報を印刷させる指示を前記印刷装置に対して発行する印刷指示ステップと、
をコンピュータに実行させるためのプログラム。
【発明の詳細な説明】
【技術分野】
【０００１】
本発明は、販売対象の薬品についての食べ合わせに関する情報をレシートに印刷するための技術に関する。
【背景技術】
【０００２】
従来、コンビニエンスストアやスーパーマーケット等の商店では、商品の価格や在庫等を管理するために、ＰＯＳ（Ｐｏｉｎｔ  Ｏｆ  Ｓａｌｅｓ）システムが利用されている（例えば、特許文献１参照）。商店における各商品にはバーコード等の商品コードが対応付けられており、商品コードを読み取ることにより販売対象の商品が特定される。商店における金銭登録機（レジスタ）は、商品コードを読み取ることにより特定された販売対象の商品の価格の情報を、ＰＯＳシステムを利用することにより取得してレシートに印刷する。近年、薬品と飲食品とを販売する薬局等の商店が存在する。
【先行技術文献】
【特許文献】
【０００３】
【特許文献１】特開２００６−３５０６８７号公報
【発明の概要】
【発明が解決しようとする課題】
【０００４】
消費者は、薬品と飲食品とを販売する薬局等の商店において薬品と飲食品とを購入する場合があり、その場合、購入対象の薬品と飲食品の価格の情報は一つのレシートに印刷される。薬品には、一緒に飲食する場合に食べ合わせが悪いものがある。そのため、購入した薬品と飲食品との食べ合わせに関する情報をレシートから得たいと考える消費者が存在する。しかしながら、従来のレシートには購入対象の薬品と飲食品との食べ合わせに関する情報は印刷されておらず、消費者の要求は満たされていない。
【０００５】
同様に、消費者は、薬局等の商店において二つの薬品を購入する場合があり、その場合、購入対象の二つの薬品の価格の情報は一つのレシートに印刷される。薬品には、一緒に服用することに対して用心すべき薬品がある。そのため、購入した二つの薬を一緒に服用することに対して用心すべきか否かを示す情報をレシートから得たいと考える消費者が存在する。しかしながら、従来のレシートには購入対象の二つの薬を一緒に服用することに対して用心すべきか否かを示す情報は印刷されておらず、消費者の要求は満たされていない。
【０００６】
本発明は、販売対象の薬品と販売対象の飲食品とを一緒に飲食する場合の食べ合わせに関する情報をレシートに印刷するための薬の食べ合わせ情報印刷指示装置、薬の食べ合わせ情報印刷システム、薬の食べ合わせ情報印刷指示方法及びプログラムを提供することを目的とする。また、本発明は、販売対象の二つの薬品を一緒に服用することに対して用心すべき場合にその旨を示す情報をレシートに印刷するための薬の食べ合わせ情報印刷指示装置を提供することを目的とする。
【課題を解決するための手段】
【０００７】
本発明のある態様の薬の食べ合わせ情報印刷指示装置は、複数の薬品のそれぞれについての食べ合わせが悪い又は良い飲食品を特定する飲食品情報を取得する飲食品情報取得部と、販売対象の薬品を特定する情報を含む薬品用の商品コードに関する情報と販売対象の飲食品を特定する情報を含む飲食品用の商品コードに関する情報とを取得する商品コード情報取得部と、商品コード情報取得部によって取得された情報と飲食品情報取得部によって取得された飲食品情報とをもとに、販売対象の薬品と販売対象の飲食品との食べ合わせを判定する判定部と、販売対象の薬品と販売対象の飲食品との食べ合わせが悪いと判定部によって判定された場合に販売対象の薬品及び販売対象の飲食品の価格の情報が印刷されるレシートに販売対象の薬品と販売対象の飲食品との食べ合わせが悪いことを示す薬の食べ合わせ情報を印刷させる指示を印刷装置に対して発行し、販売対象の薬品と販売対象の飲食品との食べ合わせが良いと判定部によって判定された場合に上記レシートに販売対象の薬品と販売対象の飲食品との食べ合わせが良いことを示す薬の食べ合わせ情報を印刷させる指示を印刷装置に対して発行する印刷指示部とを有する。
【０００８】
薬の食べ合わせ情報印刷指示装置は、一緒に服用することに対して用心すべき薬品の組み合わせを特定する薬品情報を取得する薬品情報取得部を更に有し、商品コード情報取得部は、販売対象の第１の薬品を特定する情報を含む第１の薬品用の商品コードに関する情報と、販売対象の第２の薬品を特定する情報を含む第２の薬品用の商品コードに関する情報とを取得し、判定部は、商品コード情報取得部によって取得された情報と薬品情報取得部によって取得された薬品情報とをもとに、販売対象の第１の薬品と販売対象の第２の薬品とを一緒に服用することに対して用心すべきか否かについても判定し、印刷指示部は、販売対象の第１の薬品と販売対象の第２の薬品とを一緒に服用することに対して用心すべきと判定部によって判定された場合、販売対象の第１の薬品と販売対象の第２の薬品とを一緒に服用することに対して用心すべきことを示す服用用心情報をレシートに印刷させる指示を印刷装置に対して発行してもよい。
【０００９】
飲食品情報は、複数の薬品のそれぞれについて、薬品と食べ合わせが悪い飲食品とを食べ合わせることに対する用心の程度を示す程度情報を含み、印刷指示部は、販売対象の薬品と販売対象の飲食品との食べ合わせが悪いと判定部によって判定された場合、販売対象の薬品と販売対象の飲食品とを食べ合わせることに対する用心の程度を示す程度情報をレシートに印刷させる指示を印刷装置に対して発行してもよい。
【００１０】
本発明の別のある態様の薬の食べ合わせ情報印刷指示装置は、一緒に服用することに対して用心すべき薬品の組み合わせを特定する薬品情報を取得する薬品情報取得部と、販売対象の第１の薬品を特定する情報を含む第１の薬品用の商品コードに関する情報と販売対象の第２の薬品を特定する情報を含む第２の薬品用の商品コードに関する情報とを取得する商品コード情報取得部と、商品コード情報取得部によって取得された情報と薬品情報取得部によって取得された薬品情報とをもとに、販売対象の第１の薬品と販売対象の第２の薬品とを一緒に服用することに対して用心すべきか否かを判定する判定部と、販売対象の第１の薬品と販売対象の第２の薬品とを一緒に服用することに対して用心すべきと判定部によって判定された場合、販売対象の第１の薬品及び販売対象の第２の薬品の価格の情報が印刷されるレシートに、販売対象の第１の薬品と販売対象の第２の薬品とを一緒に服用することに対して用心すべきことを示す服用用心情報を印刷させる指示を印刷装置に対して発行する印刷指示部とを有する。
【００１１】
本発明のある態様の薬の食べ合わせ情報印刷システムは、販売対象の薬品と販売対象の飲食品との食べ合わせを判定し、販売対象の薬品と販売対象の飲食品との食べ合わせが悪い又は良いことを示す判定結果を得た場合、販売対象の薬品及び販売対象の飲食品の価格の情報が印刷されるレシートに販売対象の薬品と販売対象の飲食品との食べ合わせが悪い又は良いことを示す薬の食べ合わせ情報を印刷させる指示を発行する薬の食べ合わせ情報印刷指示装置と、薬の食べ合わせ情報印刷指示装置が発行した指示をもとに、レシートに薬の食べ合わせ情報を印刷する印刷装置とを有する。薬の食べ合わせ情報印刷指示装置は、複数の薬品のそれぞれについての食べ合わせが悪い又は良い飲食品を特定する飲食品情報を取得する飲食品情報取得部と、販売対象の薬品を特定する情報を含む薬品用の商品コードに関する情報と、販売対象の飲食品を特定する情報を含む飲食品用の商品コードに関する情報とを取得する商品コード情報取得部と、商品コード情報取得部によって取得された情報と飲食品情報取得部によって取得された飲食品情報とをもとに、販売対象の薬品と販売対象の飲食品との食べ合わせを判定する判定部と、販売対象の薬品と販売対象の飲食品との食べ合わせが悪いと判定部によって判定された場合にレシートに販売対象の薬品と販売対象の飲食品との食べ合わせが悪いことを示す薬の食べ合わせ情報を印刷させる指示を印刷装置に出力し、販売対象の薬品と販売対象の飲食品との食べ合わせが良いと判定部によって判定された場合にレシートに販売対象の薬品と販売対象の飲食品との食べ合わせが良いことを示す薬の食べ合わせ情報を印刷させる指示を印刷装置に出力する印刷指示部とを含む。印刷装置は、薬の食べ合わせ情報印刷指示装置における印刷指示部から出力された指示を受け取る受取部と、受取部によって受け取られた指示にしたがって、レシートに薬の食べ合わせ情報を印刷する印刷実行部とを含む。
【００１２】
本発明のある態様の薬の食べ合わせ情報印刷指示方法は、複数の薬品のそれぞれについての食べ合わせが悪い又は良い飲食品を特定する飲食品情報を取得する飲食品情報取得ステップと、販売対象の薬品を特定する情報を含む薬品用の商品コードに関する情報と販売対象の飲食品を特定する情報を含む飲食品用の商品コードに関する情報とを取得する商品コード情報取得ステップと、商品コード情報取得ステップにおいて取得した情報と飲食品情報取得ステップにおいて取得した飲食品情報とをもとに、販売対象の薬品と販売対象の飲食品との食べ合わせを判定する判定ステップと、販売対象の薬品と販売対象の飲食品との食べ合わせが悪いと判定ステップにおいて判定した場合に販売対象の薬品及び販売対象の飲食品の価格の情報が印刷されるレシートに販売対象の薬品と販売対象の飲食品との食べ合わせが悪いことを示す薬の食べ合わせ情報を印刷させる指示を印刷装置に対して発行し、販売対象の薬品と販売対象の飲食品との食べ合わせが良いと判定ステップにおいて判定した場合に上記レシートに販売対象の薬品と販売対象の飲食品との食べ合わせが良いことを示す薬の食べ合わせ情報を印刷させる指示を印刷装置に対して発行する印刷指示ステップとを含む。
【００１３】
本発明のある態様のプログラムは、上述の本発明のある態様の薬の食べ合わせ情報印刷指示方法におけるすべてのステップをコンピュータに実行させるためのプログラムである。
【発明の効果】
【００１４】
本発明によれば、販売対象の薬品と販売対象の飲食品とを一緒に飲食する場合の食べ合わせに関する情報をレシートから得ることができる。また、本発明によれば、販売対象の二つの薬品を一緒に服用することに対して用心すべき場合にその旨を示す情報をレシートから得ることができる。
【図面の簡単な説明】
【００１５】
【図１】本発明の実施の形態における薬の食べ合わせ情報印刷システムの構成の概略図である。
【図２】図１における薬の食べ合わせ情報印刷システムを構成する金銭登録機及び商品管理サーバを説明するためのブロック図である。
【図３】図２の商品管理サーバにおける飲食品テーブルを示す図である。
【図４】図２の商品管理サーバにおける薬品テーブルを示す図である。
【図５】図２の商品管理サーバにおける価格テーブルを示す図である。
【図６】図１における薬の食べ合わせ情報印刷システムの動作の各手順を示すシーケンス図である。
【図７】図２における薬の食べ合わせ情報印刷指示装置の動作の各手順を示すフローチャートである。
【図８】図１における薬の食べ合わせ情報印刷システムにおいて印刷されたレシートの一例を示す図である。
【発明を実施するための形態】
【００１６】
以下に、本発明の実施の形態について、図面を参照して説明する。まず、本発明の実施の形態における薬の食べ合わせ情報印刷システム１の構成の概略を説明する。本願では、「食べ合わせ」という用語は、薬品と飲食品とを一緒に飲食した場合の食べ合わせ又は相性そのものを意味することは勿論であるが、二つの薬品を一緒に服用した場合の食べ合わせ又は相性を意味する場合がある。飲食品は、食品及び飲料品を総称する用語である。「飲食する」という文言は、食品を食べるという意味と、飲料品を飲むという意味とを含む。
【００１７】
「薬品と飲食品とを一緒に飲食する」という文言は、薬品と飲食品とを実際に一緒に飲食することが含まれることは勿論であるが、飲食するという行為の前又は後の所定の期間内に薬品を服用することも含まれる。「二つの薬品を一緒に服用する」という文言は、二つの薬品を実際に一緒に服用することが含まれることは勿論であるが、二つの薬品のうちの一方を服用した後の所定の期間内に他方を服用することも含まれる。上述の二つの所定の期間はいずれも、薬品毎に臨床試験等の試験によって決定され、例えば３０分である。
【００１８】
図１は、本発明の実施の形態における薬の食べ合わせ情報印刷システム１の構成の概略図である。図１に示す通り、薬の食べ合わせ情報印刷システム１は、複数の金銭登録機２と、商品管理サーバ３とを有する。複数の金銭登録機２のそれぞれは、薬局６、コンビニエンスストア７及びスーパーマーケット８のいずれかに配置されている。薬局６、コンビニエンスストア７及びスーパーマーケット８はいずれも、薬品及び飲食品の双方を販売する店の一例である。
【００１９】
複数の金銭登録機２のそれぞれと商品管理サーバ３とは、通信ネットワーク９によって通信を行うことができる状態で接続されている。通信ネットワーク９は、有線のネットワークであってもよいし、無線のネットワークであってもよいし、有線と無線とで構成されるネットワークであってもよい。本実施の形態では詳述しないが、複数の金銭登録機２のそれぞれと商品管理サーバ３とは、例えばいわゆるＰＯＳシステムを構成している。
【００２０】
図２は、図１における薬の食べ合わせ情報印刷システム１を構成する金銭登録機（レジスタ）２及び商品管理サーバ３を説明するためのブロック図である。図２では説明を簡単に行うために、金銭登録機２は一つだけ示されており、通信ネットワーク９は示されていない。図２を用いて、金銭登録機２及び商品管理サーバ３のそれぞれの構成を順に説明する。まず、金銭登録機２の構成を説明する。金銭登録機２は、商品コード読取装置２１と、商品コード情報出力装置２２と、印刷装置２３とを有する。
【００２１】
商品コード読取装置２１は、薬品及び飲食品のそれぞれに対応付けられている商品コードを読み取る装置である。商品コードは、その商品コードに対応付けられている薬品又は飲食品を特定する情報を含む情報を符号化したものである。例えば、薬品又は飲食品を特定する情報は、薬品又は飲食品の名称の情報である。薬品又は飲食品を特定する情報は、薬品又は飲食品の名称に関連付けられている番号等の情報であってもよい。商品コードは、販売対象の薬品及び飲食品のそれぞれに直接付されている場合もあるし、販売対象の薬品及び飲食品のそれぞれとは別の紙に記載されている場合もある。薬品又は飲食品が小さいためにそれらの外面に商品コードを付すことができない場合等において、商品コードは薬品及び飲食品のそれぞれとは別の紙に記載される。例えば、商品コードはバーコードであり、商品コード読取装置２１はバーコードスキャナである。
【００２２】
商品コード情報出力装置２２は、商品コード読取装置２１によって読み取られた商品コードに関する情報を商品管理サーバ３に出力する装置である。商品コードに関する情報は、その商品コードに対応付けられている販売対象の薬品又は飲食品を特定する情報を含む。例えば、薬品又は飲食品を特定する情報は、上述の通り薬品又は飲食品の名称の情報である。商品コードに関する情報は、通信ネットワーク９を介して商品管理サーバ３に送信される。
【００２３】
印刷装置２３は、商品管理サーバ３からの指示及び情報にしたがって、販売対象の薬品又は飲食品の価格の情報等をレシートに印刷する装置である。印刷装置２３は、受取部２３１と、演算部２３２と、時計２３３と、印刷基礎データ記憶装置２３４と、印刷実行部２３５とを有する。受取部２３１は、商品管理サーバ３からの指示及び情報を受け取る機能を有する。商品管理サーバ３からの指示及び情報については、後に商品管理サーバ３の構成を説明する際に説明する。例えば、受取部２３１は、商品管理サーバ３からの指示及び情報を受け取る機能を実現させるためのプログラムと、コンピュータ（ＣＰＵ）とによって実現される。
【００２４】
演算部２３２は、販売対象の商品が複数存在する場合において各商品の販売価格の小計を計算したり、消費税を計算したり、小計と消費税とを加算して販売に係る合計を計算したり、顧客から預かった金銭から合計を減算して釣りを計算したりする機能を有する。商品には、薬品及び飲食品が含まれる。演算部２３２は、印刷基礎データ記憶装置２３４に記憶されている情報におけるレシートの番号を、レシートが発行される毎に「１（いち）」ずつ増加させて更新させる機能も有する。例えば、演算部２３２は、上述の計算する機能及びレシートの番号を増加させる機能を実現させるためのプログラムと、コンピュータ（ＣＰＵ）とによって実現される。時計２３３は、時刻を示すものである。
【００２５】
印刷基礎データ記憶装置２３４は、レシートに印刷を行う場合に用いられる情報（以下、「印刷時使用情報」という。）を記憶する装置である。印刷時使用情報は、（１）レシートに印刷される情報の印刷順序に関する情報と、（２）薬品と飲食品とを販売する場合又は二つの薬品を販売する場合において食べ合わせに関する情報を印刷するときの定型の文及び用語の情報と、（３）最後に発行されたレシートの番号を特定する情報とを含む。
【００２６】
印刷実行部２３５は、印刷基礎データ記憶装置２３４に記憶されている印刷時使用情報をもとに、受取部２３１によって受け取られた情報と、演算部２３２によって得られた情報と、時計２３３によって示される時刻の情報とをレシートに印刷する機能を有する。
【００２７】
次に、商品管理サーバ３の構成を説明する。商品管理サーバ３は、商品コード情報取得部３１１と、飲食品情報取得部３１２と、薬品情報取得部３１３と、判定部３１４と、印刷指示部３１５と、飲食品情報記憶装置３２と、薬品情報記憶装置３３と、価格情報抽出部３４と、価格情報記憶装置３５とを有する。商品管理サーバ３はコンピュータであるので、商品コード情報取得部３１１、飲食品情報取得部３１２、薬品情報取得部３１３、判定部３１４、印刷指示部３１５及び価格情報抽出部３４のそれぞれの機能はプログラムとＣＰＵとによって実現される。
【００２８】
本実施の形態では、商品管理サーバ３が有する複数の機能のそれぞれを区別して説明するために、ＣＰＵ及びプログラムを登場させず、商品コード情報取得部３１１、飲食品情報取得部３１２、薬品情報取得部３１３、判定部３１４、印刷指示部３１５及び価格情報抽出部３４を登場させている。本実施の形態では、商品コード情報取得部３１１、飲食品情報取得部３１２、薬品情報取得部３１３、判定部３１４及び印刷指示部３１５は、薬の食べ合わせ情報印刷指示装置３１を構成する。
【００２９】
後の説明を簡単に行うために、まず、商品管理サーバ３が有する複数の記憶装置のそれぞれについて説明する。飲食品情報記憶装置３２は、複数の薬品のそれぞれについての食べ合わせが悪い又は良い飲食品を特定する飲食品情報が記載されている飲食品テーブル３２Ｔを記憶している。図３は、図２の商品管理サーバ３における飲食品テーブル３２Ｔを示す図である。図３に示すように、飲食品テーブル３２Ｔに記載されている飲食品情報は、薬品毎に、食べ合わせが悪い飲食品の情報と、食べ合わせが悪い飲食品を一緒に飲食することに対する用心の程度を示す程度情報と、食べ合わせが良い飲食品の情報と、製薬会社のＵＲＬを特定する２次元コードを構成する情報と、製薬会社の名称の情報とを含む。
【００３０】
飲食品情報の一部の例を、図３における薬品名「Ａ感冒薬」という薬品を例にとって説明する。図３の飲食品テーブル３２Ｔにおいて、「Ａ感冒薬」という文字列が記載されている行には、食べ合わせが悪い飲食品として「ワイン，チーズ」という文字列が記載されている。それは、飲食品情報において、薬品「Ａ感冒薬」についての食べ合わせが悪い飲食品としてワインとチーズとが特定されていることを意味している。
【００３１】
「Ａ感冒薬」という文字列が記載されている行には、用心の程度として「警戒」という文字列が記載されている。それは、飲食品情報において、薬品「Ａ感冒薬」について食べ合わせが悪い飲食品であるワイン又はチーズと薬品「Ａ感冒薬」とを飲食することに対する用心の程度が「警戒」という程度であることが特定されていることを意味している。本実施の形態では、用心の程度は、危険、警戒及び注意の三段階である。
【００３２】
例えば、危険は、薬品と食べ合わせが悪い飲食品とを一緒に飲食すると生命が危険になる可能性があることを示す程度である。警戒は、薬品と食べ合わせが悪い飲食品とを一緒に飲食すると体調を崩す可能性があることを示す程度である。注意は、薬品と食べ合わせが悪い飲食品とを一緒に飲食すると薬品の効果が発揮されない可能性があることを示す程度である。用心の程度は、危険が最も高く、警戒がその次に高く、注意が最も低い。
【００３３】
「Ａ感冒薬」という文字列が記載されている行には、食べ合わせが良い食品として「水」という文字列が記載されている。それは、飲食品情報において、薬品「Ａ感冒薬」について食べ合わせが良い飲食品として水が特定されていることを意味している。
【００３４】
「Ａ感冒薬」という文字列が記載されている行には、２次元コードが記載されている。それは、カメラ及び通信の機能を有する携帯電話により２次元コードを撮影した場合に携帯電話により薬品「Ａ感冒薬」の製薬会社のホームページにアクセスできる情報が飲食品情報に含まれていることを意味している。図３の飲食品テーブル３２Ｔでは２次元コードが記載されているが、実際の飲食品テーブル３２Ｔには２次元コードを構成する情報が記載されている。「Ａ感冒薬」という文字列が記載されている行には、製薬会社として「ＡＡ」という文字列が記載されている。それは、薬品「Ａ感冒薬」の製薬会社の名称が「ＡＡ」であることを意味している。
【００３５】
図２に戻る。薬品情報記憶装置３３は、一緒に服用することに対して用心すべき薬品の組み合わせを特定する薬品情報が記載されている薬品テーブル３３Ｔを記憶している。図４は、図２の商品管理サーバ３における薬品テーブル３３Ｔを示す図である。図４に示すように、薬品テーブル３３Ｔに記載されている薬品情報は、薬品毎に、一緒に服用することに対して用心すべき薬品の情報を含む。
【００３６】
薬品情報の一部の例を、図４における薬品名「Ｃ風邪薬」という薬品を例にとって説明する。図４の薬品テーブル３３Ｔにおいて、「Ｃ風邪薬」という文字列が記載されている行には、一緒に服用することに対して用心すべき薬品として「睡眠薬，頭痛薬」という文字列が記載されている。それは、薬品情報において、薬品「Ｃ風邪薬」と一緒に服用することに対して用心すべき薬品が睡眠薬及び頭痛薬であることが特定されていることを意味している。
【００３７】
図２に戻る。価格情報記憶装置３５は、複数の商品のそれぞれの価格の情報が記載されている価格テーブル３５Ｔを記憶している。図５は、図２の商品管理サーバ３における価格テーブル３５Ｔを示す図である。図５に示すように、価格テーブル３５Ｔに記載されている情報は、複数の商品のそれぞれについての価格の情報を含む。価格の情報の一部の例を、図５における薬品名「Ａ感冒薬」という商品を例にとって説明する。図５の価格テーブル３５Ｔにおいて、「Ａ感冒薬」という文字列が記載されている行には、価格として「￥１，６００」という文字列が記載されている。それは、価格の情報において、商品「Ａ感冒薬」の価格が￥１，６００であることが特定されていることを意味している。上述の通り、商品には、薬品及び飲食品が含まれる。
【００３８】
図２に戻る。次に、商品管理サーバ３における薬の食べ合わせ情報印刷指示装置３１の各構成要素及び価格情報抽出部３４を説明する。商品コード情報取得部３１１は、金銭登録機２における商品コード情報出力装置２２から出力された商品コードに関する情報を、受信することによって取得する機能を有する。商品コードに関する情報は、対応する商品コードに対応付けられている販売対象の薬品又は飲食品を特定する情報を含む。例えば、薬品又は飲食品を特定する情報は、対応する商品コードに対応付けられている薬品又は飲食品の名称を特定する情報である。
【００３９】
上述の通り、商品には薬品及び飲食品が含まれるので、商品コードに関する情報として、販売対象の薬品を特定する情報を含む薬品用の商品コードに関する情報と、販売対象の飲食品を特定する情報を含む飲食品用の商品コードに関する情報とが存在する。つまり、商品コード情報取得部３１１は、販売対象の薬品を特定する情報を含む薬品用の商品コードに関する情報と、販売対象の飲食品を特定する情報を含む飲食品用の商品コードに関する情報とを取得する機能を有する。
【００４０】
飲食品情報取得部３１２は、飲食品情報記憶装置３２から、複数の薬品のそれぞれについての食べ合わせが悪い又は良い飲食品を特定する飲食品情報を取得する機能を有する。つまり、飲食品情報取得部３１２は、飲食品情報記憶装置３２に記憶されている飲食品テーブル３２Ｔを取得する機能を有する。薬品情報取得部３１３は、薬品情報記憶装置３３から、一緒に服用することに対して用心すべき薬品の組み合わせを特定する薬品情報を取得する機能を有する。つまり、薬品情報取得部３１３は、薬品情報記憶装置３３に記憶されている薬品テーブル３３Ｔを取得する機能を有する。
【００４１】
判定部３１４は、商品コード情報取得部３１１によって取得された情報と飲食品情報取得部３１２によって取得された飲食品テーブル３２Ｔにおける飲食品情報とをもとに、販売対象の薬品と販売対象の飲食品との食べ合わせを判定する機能を有する。判定部３１４は、販売対象の薬品と販売対象の飲食品との食べ合わせが悪いと判定した場合、判定結果を印刷指示部３１５に出力する機能を有する。判定部３１４は、販売対象の薬品と販売対象の飲食品との食べ合わせが悪いと判定した場合、販売対象の薬品について、食べ合わせが悪いと判定した販売対象の飲食品を特定する情報と、販売対象の飲食品を一緒に飲食することに対する用心の程度を示す程度情報と、製薬会社のＵＲＬを特定する２次元コードを構成する情報と、製薬会社の名称の情報とを、飲食品テーブル３２Ｔから取得して印刷指示部３１５に出力する機能も有する。
【００４２】
加えて、判定部３１４は、販売対象の薬品と販売対象の飲食品との食べ合わせが良いと判定した場合、判定結果を印刷指示部３１５に出力すると共に、販売対象の薬品と食べ合わせが良いと判定した販売対象の飲食品を特定する情報と、製薬会社のＵＲＬを特定する２次元コードを構成する情報と、製薬会社の名称の情報とを、飲食品テーブル３２Ｔから取得して印刷指示部３１５に出力する機能も有する。
【００４３】
さらに、判定部３１４は、商品コード情報取得部３１１によって取得された情報と薬品情報取得部３１３によって取得された薬品テーブル３３Ｔにおける薬品情報とをもとに、販売対象の二つの薬品を一緒に服用することに対して用心すべきか否かを判定する機能を有する。判定部３１４は、販売対象の二つの薬品を一緒に服用することに対して用心すべきと判定した場合、判定結果を印刷指示部３１５に出力する機能も有する。
【００４４】
判定部３１４の機能について、更に説明する。例えば、商品コード情報取得部３１１が、販売対象の薬品を特定する情報を含む薬品用の商品コードに関する情報と、販売対象の飲食品を特定する情報を含む飲食品用の商品コードに関する情報とを取得した場合、判定部３１４は、商品コード情報取得部３１１によって取得された情報と、飲食品情報取得部３１２によって取得された飲食品テーブル３２Ｔにおける飲食品情報とをもとに、販売対象の薬品と販売対象の飲食品との食べ合わせを判定する。
【００４５】
販売対象の薬品が「Ａ感冒薬」という名称の薬品であって、販売対象の飲食品が「Ｘ牛乳」という名称の飲食品である場合を仮定する。図３に示す飲食品テーブル３２Ｔにおける飲食品情報には、薬品「Ａ感冒薬」についての食べ合わせが悪い飲食品が「ワイン」及び「チーズ」であることを特定する情報と、薬品「Ａ感冒薬」についての食べ合わせが良い飲食品が「水」であることを特定する情報とが含まれている。つまり、「牛乳」は、薬品「Ａ感冒薬」について食べ合わせが悪い飲食品でも良い飲食品でもない。そのため、上述の仮定の場合、判定部３１４は、販売対象の薬品「Ａ感冒薬」と販売対象の飲食品「Ｘ牛乳」とは食べ合わせが悪いとも良いとも判定しない。
【００４６】
二つ目の仮定として、販売対象の薬品が「Ｂ胃腸薬」という名称の薬品であって、販売対象の飲食品が「Ｘ牛乳」という名称の飲食品である場合を仮定する。図３に示す飲食品テーブル３２Ｔにおける飲食品情報には、薬品「Ｂ胃腸薬」についての食べ合わせが悪い飲食品が「牛乳」及び「ステーキ」であることを特定する情報と、薬品「Ｂ胃腸薬」についての食べ合わせが良い飲食品が「水」であることを特定する情報とが含まれている。そのため、上述の二つ目の仮定の場合、判定部３１４は、販売対象の薬品「Ｂ胃腸薬」と販売対象の飲食品「Ｘ牛乳」とは食べ合わせが悪いと判定し、判定結果を印刷指示部３１５に出力する。
【００４７】
判定部３１４は、販売対象の薬品「Ｂ胃腸薬」と販売対象の飲食品「Ｘ牛乳」とは食べ合わせが悪いと判定したので、販売対象の薬品「Ｂ胃腸薬」について、食べ合わせが悪いと判定した販売対象の飲食品「Ｘ牛乳」を特定する情報と、販売対象の飲食品「Ｘ牛乳」を一緒に飲食することに対する用心の程度を示す程度情報と、販売対象の薬品「Ｂ胃腸薬」の製薬会社のＵＲＬを特定する２次元コードを構成する情報と、販売対象の薬品「Ｂ胃腸薬」の製薬会社の名称の情報とを、飲食品テーブル３２Ｔから取得して印刷指示部３１５に出力する。上述の場合、判定部３１４は、販売対象の飲食品「Ｘ牛乳」を特定する情報として飲食品「Ｘ牛乳」の名称等を特定する情報を取得し、程度情報として「警戒」という程度を示す情報を取得し、薬品「Ｂ胃腸薬」の製薬会社の名称の情報として「ＢＢ」という情報を取得し、それらの情報を印刷指示部３１５に出力する。
【００４８】
販売対象の二つの商品が薬品と飲食品とではなく、二つの薬品である場合がある。その場合、商品コード情報取得部３１１は、販売対象の第１の薬品を特定する情報を含む第１の薬品用の商品コードに関する情報と、販売対象の第２の薬品を特定する情報を含む第２の薬品用の商品コードに関する情報とを取得する。判定部３１４は、商品コード情報取得部３１１によって取得された情報と、薬品情報取得部３１３によって取得された薬品テーブル３３Ｔにおける薬品情報とをもとに、販売対象の第１の薬品と販売対象の第２の薬品とを一緒に服用することに対して用心すべきか否かを判定する。
【００４９】
販売対象の第１の薬品が「Ｃ風邪薬」という名称の薬品であって、販売対象の第２の薬品が「Ｅ睡眠薬」という名称の薬品である場合を仮定する。図４に示す薬品テーブル３３Ｔにおける薬品情報には、薬品「Ｃ風邪薬」と一緒に服用することに対して用心すべき薬品が「睡眠薬」及び「頭痛薬」であることを特定する情報と、薬品「Ｅ睡眠薬」と一緒に服用することに対して用心すべき薬品が「風邪薬」及び「頭痛薬」であることを特定する情報とが含まれている。そのため、上述の仮定の場合、判定部３１４は、販売対象の第１の薬品「Ｃ風邪薬」と販売対象の第２の薬品「Ｅ睡眠薬」とを一緒に服用することに対して用心すべきと判定し、判定結果を印刷指示部３１５に出力する。
【００５０】
販売対象の二つの商品がいずれも薬品である二つ目の仮定として、販売対象の第１の薬品が「Ａ感冒薬」という名称の薬品であって、販売対象の第２の薬品が「Ｃ風邪薬」という名称の薬品である場合を仮定する。図４に示す薬品テーブル３３Ｔにおける薬品情報には、薬品「Ａ感冒薬」と一緒に服用することに対して用心すべき薬品を特定する情報が含まれておらず、薬品「Ｃ風邪薬」と一緒に服用することに対して用心すべき薬品が「睡眠薬」及び「頭痛薬」であることを特定する情報が含まれている。そのため、上述の二つ目の仮定の場合、判定部３１４は、販売対象の第１の薬品「Ａ感冒薬」と販売対象の第２の薬品「Ｃ風邪薬」とを一緒に服用することに対して用心すべきとは判定しない。
【００５１】
図２に戻る。薬の食べ合わせ情報印刷指示装置３１における印刷指示部３１５を説明する前に、商品管理サーバ３における価格情報抽出部３４を説明する。価格情報抽出部３４は、商品コード情報取得部３１１によって取得された情報が特定する商品について、価格の情報を価格テーブル３５Ｔから抽出する機能を有する。
【００５２】
価格情報抽出部３４の機能をより具体的に説明する。販売対象の商品が「Ａ感冒薬」という名称の商品である場合、商品コード情報取得部３１１によって取得された情報は販売対象の商品「Ａ感冒薬」を特定する情報を含むので、価格情報抽出部３４は、「Ａ感冒薬」という名称の商品の価格の情報を価格テーブル３５Ｔから抽出する。図５に示す価格テーブル３５Ｔには、「Ａ感冒薬」という名称の商品の価格が「￥１，６００」であることを示す情報が含まれている。そのため、上述の例の場合、価格情報抽出部３４は、「Ａ感冒薬」という名称の商品の価格が「￥１，６００」であることを示す情報を価格テーブル３５Ｔから抽出する。
【００５３】
図２に戻る。次に、薬の食べ合わせ情報印刷指示装置３１における印刷指示部３１５を説明する。印刷指示部３１５は、販売対象の薬品と販売対象の飲食品との食べ合わせが悪いと判定部３１４によって判定された場合、販売対象の薬品及び販売対象の飲食品の価格の情報が印刷されるレシートに販売対象の薬品と販売対象の飲食品との食べ合わせが悪いことを示す薬の食べ合わせ情報を印刷させる指示（以下、「第１の指示」とも記載する。）を、金銭登録機２の印刷装置２３に対して発行する機能を有する。
【００５４】
印刷指示部３１５は、販売対象の薬品と販売対象の飲食品との食べ合わせが良いと判定部３１４によって判定された場合、販売対象の薬品及び販売対象の飲食品の価格の情報が印刷されるレシートに販売対象の薬品と販売対象の飲食品との食べ合わせが良いことを示す薬の食べ合わせ情報を印刷させる指示（以下、「第２の指示」とも記載する。）を、金銭登録機２の印刷装置２３に対して発行する機能も有する。
【００５５】
印刷指示部３１５は、販売対象の薬品と販売対象の飲食品との食べ合わせが悪いと判定部３１４によって判定された場合、販売対象の薬品について、食べ合わせが悪いと判定された販売対象の飲食品を特定する情報と、販売対象の薬品について食べ合わせが悪いと判定された販売対象の飲食品を一緒に飲食することに対する用心の程度を示す程度情報と、製薬会社のＵＲＬを特定する２次元コードを構成する情報と、製薬会社の名称の情報とを、判定部３１４から受け取って金銭登録機２の印刷装置２３に出力する機能を有する。
【００５６】
印刷指示部３１５は、販売対象の薬品と販売対象の飲食品との食べ合わせが良いと判定部３１４によって判定された場合、販売対象の薬品について、食べ合わせが良いと判定された販売対象の飲食品を特定する情報と、製薬会社のＵＲＬを特定する２次元コードを構成する情報と、製薬会社の名称の情報とを、判定部３１４から受け取って金銭登録機２の印刷装置２３に出力する機能を有する。
【００５７】
印刷指示部３１５は、販売対象の第１の薬品と販売対象の第２の薬品とを一緒に服用することに対して用心すべきと判定部３１４によって判定された場合、販売対象の第１の薬品及び販売対象の第２の薬品の価格の情報が印刷されるレシートに販売対象の第１の薬品と販売対象の第２の薬品とを一緒に服用することに対して用心すべきことを示す服用用心情報を印刷させる指示（以下、「第３の指示」とも記載する。）を、金銭登録機２の印刷装置２３に対して発行する機能を有する。
【００５８】
販売対象の商品が第１の薬品、第２の薬品及び飲食品を含み、販売対象の第１の薬品と販売対象の第２の薬品とを一緒に服用することに対して用心すべきと判定部３１４によって判定された場合、印刷指示部３１５は、第１の薬品、第２の薬品及び飲食品の価格の情報が印刷されるレシートに販売対象の第１の薬品と販売対象の第２の薬品とを一緒に服用することに対して用心すべきことを示す服用用心情報を印刷させる指示を、第３の指示の一例として金銭登録機２の印刷装置２３に対して発行する機能を有する。上述のレートは、第１の薬品又は第２の薬品と販売対象の飲食品との食べ合わせが悪い又は良い場合に第１の薬品、第２の薬品及び飲食品の価格の情報が印刷されるレシートであることもあるし、第１の薬品又は第２の薬品と販売対象の飲食品との食べ合わせが悪くも良くもない場合に第１の薬品、第２の薬品及び飲食品の価格の情報が印刷されるレシートであることもある。
【００５９】
さらに、印刷指示部３１５は、価格情報抽出部３４によって抽出された価格の情報を金銭登録機２の印刷装置２３に対して出力する機能を有する。印刷指示部３１５は、印刷装置２３に対して発行する第１及び第２の指示と、印刷装置２３に対して出力する情報とを、通信ネットワーク９を介して印刷装置２３における受取部２３１に送信する。
【００６０】
次に、本実施の形態における薬の食べ合わせ情報印刷システム１の動作を説明する。図６は、図１における薬の食べ合わせ情報印刷システム１の動作の各手順を示すシーケンス図である。図７は、図２における薬の食べ合わせ情報印刷指示装置３１の動作の各手順を示すフローチャートである。
【００６１】
薬局６、コンビニエンスストア７及びスーパーマーケット８のいずれかの店において、客が複数の商品を購入する場合を仮定する。販売員は、金銭登録機２における商品コード読取装置２１により、各商品に対応付けられている商品コードを読み取る作業を行う。その作業により、商品コード読取装置２１は、各商品に対応付けられている商品コードを読み取る（図６のＳ１１）。商品コード情報出力装置２２は、商品コード読取装置２１によって読み取られた商品コードに関する情報を商品管理サーバ３に出力する（図６のＳ１２）。
【００６２】
商品管理サーバ３では、薬の食べ合わせ情報印刷指示装置３１において、飲食品情報取得部３１２が、飲食品情報記憶装置３２から飲食品情報が記載されている飲食品テーブル３２Ｔを取得すると共に、薬品情報取得部３１３が、薬品情報記憶装置３３から薬品情報が記載されている薬品テーブル３３Ｔを取得する（図７のＳ３１）。商品コード情報取得部３１１は、金銭登録機２における商品コード情報出力装置２２から出力された商品コードに関する情報を、受信することによって取得する（図６のＳ２１，図７のＳ３２）。
【００６３】
販売対象の商品として薬品と飲食品とが含まれる場合、商品コード情報取得部３１１は、販売対象の薬品を特定する情報を含む薬品用の商品コードに関する情報と、販売対象の飲食品を特定する情報を含む飲食品用の商品コードに関する情報とを取得する。販売対象の商品として二つの薬品が含まれる場合、商品コード情報取得部３１１は、販売対象の第１の薬品を特定する情報を含む第１の薬品用の商品コードに関する情報と、販売対象の第２の薬品を特定する情報を含む第２の薬品用の商品コードに関する情報とを取得する。
【００６４】
販売対象の商品として薬品と飲食品とが含まれる場合、判定部３１４は、商品コード情報取得部３１１によって取得された情報と飲食品情報取得部３１２によって取得された飲食品テーブル３２Ｔにおける飲食品情報とをもとに、販売対象の薬品と販売対象の飲食品との食べ合わせを判定する（図６のＳ２２，図７のＳ３３）。判定部３１４は、販売対象の薬品と販売対象の飲食品との食べ合わせが悪いと判定した場合、判定結果を印刷指示部３１５に出力する。
【００６５】
判定部３１４は、販売対象の薬品と販売対象の飲食品との食べ合わせが悪いと判定した場合、販売対象の薬品について、食べ合わせが悪いと判定した販売対象の飲食品を特定する情報と、販売対象の飲食品を一緒に飲食することに対する用心の程度を示す程度情報と、製薬会社のＵＲＬを特定する２次元コードを構成する情報と、製薬会社の名称の情報とを、飲食品テーブル３２Ｔから取得して印刷指示部３１５に出力する。
【００６６】
判定部３１４は、販売対象の薬品と販売対象の飲食品との食べ合わせが良いと判定した場合、判定結果を印刷指示部３１５に出力すると共に、販売対象の薬品について、食べ合わせが良いと判定した販売対象の飲食品を特定する情報と、製薬会社のＵＲＬを特定する２次元コードを構成する情報と、製薬会社の名称の情報とを、飲食品テーブル３２Ｔから取得して印刷指示部３１５に出力する。
【００６７】
販売対象の商品として二つの薬品が含まれる場合、判定部３１４は、商品コード情報取得部３１１によって取得された情報と薬品情報取得部３１３によって取得された薬品テーブル３３Ｔにおける薬品情報とをもとに、販売対象の二つの薬品を一緒に服用することに対して用心すべきか否かを判定する（図６のＳ２２，図７のＳ３３）。判定部３１４は、販売対象の二つの薬品を一緒に服用することに対して用心すべきと判定した場合、判定結果を印刷指示部３１５に出力する。
【００６８】
商品管理サーバ３における価格情報抽出部３４は、商品コード情報取得部３１１によって取得された情報が特定する商品の価格の情報を価格テーブル３５Ｔから抽出する（図６のＳ２３）。
【００６９】
商品管理サーバ３の薬の食べ合わせ情報印刷指示装置３１における印刷指示部３１５は、販売対象の薬品と販売対象の飲食品との食べ合わせが悪い又は良いと判定部３１４によって判定された場合、販売対象の薬品及び販売対象の飲食品の価格の情報が印刷されるレシートに販売対象の薬品と販売対象の飲食品との食べ合わせが悪い又は良いことを示す薬の食べ合わせ情報を印刷させる第１又は第２の指示を、金銭登録機２の印刷装置２３に対して発行する（図６のＳ２４，図７のＳ３４）。
【００７０】
印刷指示部３１５は、販売対象の薬品と販売対象の飲食品との食べ合わせが悪い又は良いと判定部３１４によって判定された場合、販売対象の薬品について、食べ合わせが悪い又は良いと判定された販売対象の飲食品を特定する情報と、製薬会社のＵＲＬを特定する２次元コードを構成する情報と、製薬会社の名称の情報とを、判定部３１４から受け取って金銭登録機２の印刷装置２３に出力する。印刷指示部３１５は、販売対象の薬品と販売対象の飲食品との食べ合わせが悪いと判定部３１４によって判定された場合、販売対象の薬品について食べ合わせが悪いと判定された販売対象の飲食品を一緒に飲食することに対する用心の程度を示す程度情報を判定部３１４から受け取って印刷装置２３に出力する。
【００７１】
印刷指示部３１５は、販売対象の第１の薬品と販売対象の第２の薬品とを一緒に服用することに対して用心すべきと判定部３１４によって判定された場合、販売対象の第１の薬品及び販売対象の第２の薬品の価格の情報が印刷されるレシートに販売対象の第１の薬品と販売対象の第２の薬品とを一緒に服用することに対して用心すべきことを示す服用用心情報を印刷させる第３の指示）を、金銭登録機２の印刷装置２３に対して発行する（図６のＳ２４，図７のＳ３４）。
【００７２】
金銭登録機２では、印刷装置２３において、受取部２３１が商品管理サーバ３の印刷指示部３１５からの指示及び情報を受け取る（図６のＳ１３）。演算部２３２は、受取部２３１によって受け取られた情報のうちの価格の情報をもとに、販売対象のすべての商品の販売価格の小計を計算し、消費税を計算し、小計と消費税とを加算して販売に係る合計を計算し、顧客から預かった金銭から合計を減算して釣りを計算する。演算部２３２は、印刷基礎データ記憶装置２３４に記憶されている情報におけるレシートの番号を「１（いち）」増加させて更新する。
【００７３】
印刷実行部２３５は、印刷基礎データ記憶装置２３４に記憶されている印刷時使用情報をもとに、受取部２３１によって受け取られた情報と、演算部２３２によって得られた情報とをレシートに印刷する（図６のＳ１３）。演算部２３２によって得られた情報には、演算部２３２によって更新されたレシートの番号が含まれる。印刷実行部２３５は、印刷を実行する場合、時計２３３によって示される時刻の情報をレシートに印刷する。
【００７４】
図８は、図１における薬の食べ合わせ情報印刷システム１において印刷されたレシート９０の一例を示す図である。レシート９０は、販売対象の商品が第１の薬品「Ａ感冒薬」、第２の薬品「Ｂ胃腸薬」及び飲食品「Ｘ牛乳」である場合のレシートである。印刷基礎データ記憶装置２３４に記憶されている印刷時使用情報をもとに、レシート９０には切り取り線９１が印刷されており、レシート９０の切り取り線９１より上方において、商品を購入した時の時刻の情報と、レシートの番号としての「Ｎｏ．０００３」という文字列と、第１の薬品「Ａ感冒薬」、第２の薬品「Ｂ胃腸薬」及び飲食品「Ｘ牛乳」の価格の情報とが印刷されている。
【００７５】
レシート９０の切り取り線９１より下方には、商品管理サーバ３からの指示及び情報の例として、「“ご注意ください”薬の食べ合わせ」という文字列９２が下線付きで印刷されている。加えて、「お買い上げのＢ胃腸薬は、Ｘ牛乳の飲食と合わせて服用しないでください。」という文字列と、「警戒」という文字列と、「詳しくはＢＢ製薬のホームページへ」という文字列とで構成される薬の食べ合わせ情報９３が印刷されている。さらに、ＢＢ製薬のＵＲＬを特定する２次元コードが印刷されている。
【００７６】
図８の例では、印刷基礎データ記憶装置２３４に記憶されている印刷時使用情報における上述の定型文及び用語の情報は、「“ご注意ください”薬の食べ合わせ」、「お買い上げのＢ胃腸薬は、Ｘ牛乳の飲食と合わせて服用しないでください。」及び「詳しくはＢＢ製薬のホームページへ」という三つの文字列のうちの「Ｂ胃腸薬」、「Ｘ牛乳」及び「ＢＢ」という三つの文字列を除く部分の情報である。
【００７７】
上述の通り、本実施の形態における薬の食べ合わせ情報印刷システム１は、薬品と飲食品が販売対象となる場合、販売対象の薬品と販売対象の飲食品との食べ合わせを判定し、食べ合わせが悪い又は良いとき、判定結果を、販売対象の薬品及び飲食品の価格の情報が印刷されるレシートに印刷する。これにより、薬品と飲食品とを購入する消費者は、購入した薬品と飲食品との食べ合わせに関する情報をレシートから得ることができる。加えて、消費者は、販売対象の薬品と飲食品との食べ合わせが悪い場合において販売対象の薬品と飲食品とを一緒に飲食することに対する用心の程度を示す情報をレシートから得ることができる。
【００７８】
本実施の形態における薬の食べ合わせ情報印刷システム１は、二つの薬品が販売対象となる場合、二つの薬品を一緒に服用することに対して用心すべきか否かを判定し、用心すべきとき、判定結果を、販売対象の二つの薬品の価格の情報が印刷されるレシートに印刷する。これにより、二つの薬品を購入する消費者は、購入した二つの薬品を一緒に服用することに対して用心すべき場合にその旨を示す情報をレシートから得ることができる。
【００７９】
なお、上述した実施の形態では、一つの薬品と一つの飲食品との食べ合わせに関する情報と、二つの薬品を一緒に服用することに対して用心すべきか否かに関する情報とをレシートに印刷する発明について説明した。しかしながら、上述した実施の形態と同様に、薬の食べ合わせ情報印刷システム１は、複数の薬品と一つ若しくは複数の飲食品との食べ合わせに関する飲食品情報をもとに、又は一つ若しくは複数の薬品と複数の飲食品との食べ合わせに関する飲食品情報をもとに、販売対象の複数の薬品と販売対象の一つ若しくは複数の飲食品との食べ合わせに関する情報、又は販売対象の一つ若しくは複数の薬品と販売対象の複数の飲食品との食べ合わせに関する情報をレシートに印刷してもよい。同様に、薬の食べ合わせ情報印刷システム１は、三つ以上の薬品を一緒に服用することに対して用心すべきか否かに関する薬品情報をもとに、三つ以上の薬品を一緒に服用することに対して用心すべきか否かに関する情報をレシートに印刷してもよい。
【００８０】
上述した実施の形態では、商品管理サーバ３はコンピュータである。商品管理サーバ３の薬の食べ合わせ情報印刷指示装置３１における商品コード情報取得部３１１、飲食品情報取得部３１２、薬品情報取得部３１３、判定部３１４及び印刷指示部３１５の機能をコンピュータに実現させるためのプログラムは、記憶装置等の記録媒体に格納される。言い換えると、商品コード情報取得部３１１、飲食品情報取得部３１２、薬品情報取得部３１３、判定部３１４及び印刷指示部３１５のそれぞれが行うステップをコンピュータに実行させるためのプログラムは、記憶装置等の記録媒体に格納される。
【００８１】
上述した実施の形態では、商品管理サーバ３はコンピュータである。しかしながら、商品管理サーバ３の全部又は一部はコンピュータでなくてもよい。その場合、薬の食べ合わせ情報印刷指示装置３１における商品コード情報取得部３１１、飲食品情報取得部３１２、薬品情報取得部３１３、判定部３１４及び印刷指示部３１５の全部又は一部は、専用の回路又は装置によって実現される。
【００８２】
上述した実施の形態では、薬の食べ合わせ情報印刷指示装置３１は商品管理サーバ３に含まれているが、薬の食べ合わせ情報印刷指示装置３１は商品管理サーバ３に含まれていなくてもよい。薬の食べ合わせ情報印刷指示装置３１は、金銭登録機２に含まれてもよい。更に言うと、薬の食べ合わせ情報印刷指示装置３１は、金銭登録機２における印刷装置２３に含まれてもよい。同様に、上述した実施の形態では、飲食品情報記憶装置３２、薬品情報記憶装置３３及び価格情報記憶装置３５は商品管理サーバ３に含まれているが、飲食品情報記憶装置３２、薬品情報記憶装置３３及び価格情報記憶装置３５は商品管理サーバ３に含まれていなくてもよい。
【００８３】
本発明は上述の実施の形態に限定されない。実施の形態は本発明の趣旨に基づき種々の変形が可能であり、変形例は本発明の範囲から排除されない。
【産業上の利用可能性】
【００８４】
本発明は、販売対象の薬品についての食べ合わせに関する情報をレシートに印刷するための技術に関するので、産業上の利用可能性を有する。
【符号の説明】
【００８５】
１  薬の食べ合わせ情報印刷システム
２  金銭登録機（レジスタ）
３  商品管理サーバ
６  薬局
７  コンビニエンスストア
８  スーパーマーケット
９  通信ネットワーク
２１  商品コード読取装置
２２  商品コード情報出力装置
２３  印刷装置
２３１  受取部
２３２  演算部
２３３  時計
２３４  印刷基礎データ記憶装置
２３５  印刷実行部
３１  薬の食べ合わせ情報印刷指示装置
３１１  商品コード情報取得部
３１２  飲食品情報取得部
３１３  薬品情報取得部
３１４  判定部
３１５  印刷指示部
３２  飲食品情報記憶装置
３２Ｔ  飲食品テーブル
３３  薬品情報記憶装置
３３Ｔ  薬品テーブル
３４  価格情報抽出部
３５  価格情報記憶装置
３５Ｔ  価格テーブル
９０  レシート
９１  切り取り線
９２  文字列
９３  薬の食べ合わせ情報
【図１】
2014182682.tif 000003
【図２】
2014182682.tif 000004
【図３】
2014182682.tif 000005
【図４】
2014182682.tif 000006
【図５】
2014182682.tif 000007
【図６】
2014182682.tif 000008
【図７】
2014182682.tif 000009
【図８】
2014182682.tif 000010